(57)【要約】【課題】装置の立ち上がり時間が必要なく、且つ待機状態中の電力消費を抑えることができる画像読取装置を提供すること。【解決手段】画像読取装置は、光電変換基板７１７と、制御基板７１８とが接続ケーブルを介して接続されている。制御基板７１８から当該接続ケーブルを介して駆動信号を供給されて動作する光電変換素子により原稿を読み取る。待機時に動作クロックを停止させると、ラインクランプ回路がコンデンサの充／放電を利用した回路であるため、コンデンサの電圧が０Ｖのように完全な放電状態のときには、正常なクランプ電位に達するまでには時間がかかることになるので、光電変換基板７１７への駆動周波数切替手段７５２により駆動信号周波数１をクランプ電圧に影響がでない程度、１／１６にする。駆動周波数を読み取り動作中の駆動信号周波数２に切替えるだけで画情報読み取り動作に移行可能となる。【選択図】　　図８
2004072602.tif 000002
【特許請求の範囲】
【請求項１】
光電変換素子を用いて原稿画像を読み取る画像読取手段と、
この画像読取手段と接続ケーブルを介して接続し、この接続ケーブルを介して駆動信号送ることで前記画像読取手段を制御する制御手段と、からなる画像読取装置において、
読み取り待機時に前記接続ケーブルを介して送出する第１の駆動信号周波数と、原稿画情報の読み取り動作中に前記接続ケーブル介して送出する第２の駆動信号周波数とを前記制御手段が切り替えて送出することを特徴とする画像読取装置。
【請求項２】
前記画像読取手段が複数ページの原稿を読み取る際、ページ間においても前記制御手段はら読み取り待機時の第１の駆動周波数に切り替えて送出することを特徴とする請求項１記載の画像読取装置。
【請求項３】
前記制御手段が第１の駆動信号周波数を送出している時に、前記画像読取手段が原稿画情報の読み取り動作中に使用できない周波数拡散の係数に変更することを特徴とする請求項１または請求項２記載の画像読取装置。
【請求項４】
前記画像読取手段が原稿画像を読み取る際、原稿画像を照射する光源を備え、
この光源の消灯時にのみ、前記制御手段が第１の駆動信号周波数に切り替えて送出することを特徴とする請求項１または請求項２記載の画像読取装置。
【請求項５】
前記画像読取手段を冷却する冷却用ファンを備え、
前記制御手段が第１の駆動信号周波数に切り替えて送出する際、この冷却用ファンを駆動しないことを特徴とする請求項１または請求項２記載の画像読取装置。
【発明の詳細な説明】
【０００１】
【発明の属する技術分野】
本発明は、画像読取装置に関し、より詳細には、光電変換素子を含む光電変換基板と、制御基板とが接続ケーブルを介して接続され、当該制御基板から当該接続ケーブルを介して駆動信号を供給されて動作する光電変換素子により原稿画情報を読み取る画像読取装置に関する。
【０００２】
【従来の技術】
近年、画像読取装置においても省エネルギーの要請が強く、種々の提案がなされてきた。例えば、特開２０００−１８４１３３号公報には、不要な電波の輻射を防止しつつ電波対策のためのコストアップも軽減できる画像読取装置が開示されている。
また、装置を一定時間使用しないユニットの消費電力を通常モ−ド時より少なくして消費電力を抑制する省エネルギーモードも種々の提案がなされている。省エネルギーモードでは、図７に示すような回路では、動作クロックが停止することによりクランプ信号を含めて全ての動作が停止するモードを意味し、機械の動作が要求されていないとき（＝待機時）に設定される。このような省エネルギーモードを利用することにより、電気代の節約、発熱量の低減、機械寿命の延長等を図れる効果が期待できる。このような省エネルギーモードに関しては、例えば、特開平８−２５１３１６号公報に示される技術がある。
【０００３】
【発明が解決しようとする課題】
ところで、省エネルギーモードが設定されると、通常の動作モードに復帰するまでに時間がかかるという問題があった。そこで、特開２０００−６９２８５号公報では、省エネルギーモードからの復帰のような状況においてもクランプ電圧が安定するまでの実質的な時間を短縮させることで、装置の立ち上がり時間を短縮させる技術が提案されている。
一般に、ライン状のＣＣＤイメージセンサを用いた画像読取装置では、省エネルギーモード（電源投入を含む）からの復帰のような状況においては、クランプ電圧が安定するまでに一定の時間を要し、立ち上がり時間の制約となっている。
すなわち、図９に示す、サンプルホールドアンプ７６２、７６３中に含まれるラインクランプ回路（図示せず）がコンデンサの充／放電を利用した回路であることから、コンデンサの電位が０Ｖのように完全な放電状態のときには、正常なクランプ電位に達するまでには時間がかかってしまう。
そのため省エネルギーモード以外では光電変換基板に対し、原稿画情報の読み取り中と変わらない駆動信号をシステムとして求められる周波数にて駆動しており、必要のないエネルギーを消費している。また、制御基板から光電変換素子基板に供給される駆動信号は、接続ケーブル中を伝送されるため、接続ケーブルがアンテナとなって不要な電波の輻射を生じてしまう。
そこで、本発明の目的は、装置の立ち上がり時間が必要なく、且つ待機状態中の電力消費を抑えることができる画像読取装置を提供することである。
【０００４】
【課題を解決するための手段】
請求項１記載の発明は、光電変換素子を用いて原稿画像を読み取る画像読取手段と、この画像読取手段と接続ケーブルを介して接続し、この接続ケーブルを介して駆動信号送ることで前記画像読取手段を制御する制御手段と、からなる画像読取装置において、読み取り待機時に前記接続ケーブルを介して送出する第１の駆動信号周波数と、原稿画情報の読み取り動作中に前記接続ケーブル介して送出する第２の駆動信号周波数とを前記制御手段が切り替えて送出することで、前記第１の目的を達成する。
請求項２記載の発明では、請求項１記載の画像読取装置において、前記画像読取手段が複数ページの原稿を読み取る際、ページ間においても前記制御手段は読み取り待機時の第１の駆動周波数に切り替えて送出することを特徴とする。
【０００５】
請求項３記載の発明では、請求項１または請求項２記載の画像読取装置において、前記制御手段が第１の駆動信号周波数を送出している時に、前記画像読取手段が原稿画情報の読み取り動作中に使用できない周波数拡散の係数に変更することを特徴とする。
請求項４記載の発明では、請求項１または請求項２記載の画像読取装置において、前記画像読取手段が原稿画像を読み取る際、原稿画像を照射する光源を備え、この光源の消灯時にのみ、前記制御手段が第１の駆動信号周波数に切り替えて送出することを特徴とする。
【０００６】
請求項５記載の発明では、請求項１または請求項２記載の画像読取装置において、前記画像読取手段を冷却する冷却用ファンを備え、前記制御手段が第１の駆動信号周波数に切り替えて送出する際、この冷却用ファンを駆動しないことを特徴とする。
【０００７】
【発明の実施の形態】
以下、本発明の好適な実施の形態について、図１から図８を参照して詳細に説明する。
図１は、本発明の実施形態に係るデジタル複写機の構成を示した図である。
この装置の機構は概略的に、複写機本体１と、自動原稿送り装置（ＡＤＦ）１００と胴内排紙トレイ２００と給紙ユニット（バンク）３００により構成されている。
自動原稿送り装置１００は、原稿給紙台１０１上に積載された原稿を１枚ずつ複写機本体１側のコンタクトガラス１０上に給紙し、画像読み取り後に排紙トレイ１０５上に排紙するようになっている。
【０００８】
原稿給紙台１０１上の原稿は、図示省略のサイドフェンスにより幅方向が揃えられ、給紙ローラ１０２により一番上の原稿から分離されて給紙され、搬送ベルト１０３によりコンタクトガラス１０上に給紙される。
また、給送部１０７には、原稿幅検知センサ１０８および原稿長さ検知センサ１０９が設けられている。前記両センサにより、自動原稿送り装置１００から送られる原稿のサイズを検知する。
コンタクトガラス１０上の原稿は読み取り終了後に、搬送ベルト１０３および排紙ローラ１０４により排紙トレイ１０５上に排紙される。
また、両面の原稿を読み取る場合には、原稿給紙台１０１上の原稿は給紙ローラ１０２により一番上の原稿から分離されて給紙され、搬送ベルト１０３によりコンタクトガラス１０上を通過して反転爪１０６により反転され、再びコンタクトガラス１０上に給紙されて裏面が読み取られる。
次に、コンタクトガラス１０上の原稿は裏面読み取り終了後に、搬送ベルト１０３により搬送されて反転爪１０６により反転され、再びコンタクトガラス１０上に給紙されて表面が読み取られる。そして、表面読み取り終了後の原稿は搬送ベルト１０３及び排紙ローラ１０４により排紙トレイ１０５上に排紙される。
【０００９】
図２は、自動原稿送り装置１００の外観を示した図である。この図に示す通り、自動原稿送り装置１００は、ヒンジ８１および８２を中心に開閉されるようになっており、ヒンジ８１の近傍に複写機本体１の上面には爪８３が設けられ、自動原稿送り装置１００を閉じたときに爪８３が対向する位置で自動原稿送り装置１００の下面には孔８４が設けられている。また、自動原稿送り装置１００を閉じると爪８３が孔８４に挿通されるようになっている。
孔８４に隣接する自動原稿送り装置１００の内部には、孔８４に挿通された爪８３の有無を検出するリフトアップ検知センサ８５および原稿検知タイミングセンサ８６が設けられている。
【００１０】
リフトアップ検知センサ８５は、自動原稿送り装置１００が完全に閉じられている（リフトダウン）とき爪８３を検出してＯＮ状態になり、自動原稿送り装置１００が開いている（リフトアップ）ときＯＦＦ状態になる。なお、完全に閉じられている状態とは、自動原稿送り装置１００の下面側の一部が複写機本体１の上面に接触している状態をいう。
一方、原稿検知タイミングセンサ８６は、後述する原稿サイズ検知センサの検出結果に基づいてコンタクトガラス１０上にある原稿サイズを検知するタイミングを制御するために設けられており、自動原稿送り装置１００の開放角度が所定角度以内になると、爪８３を検知してＯＮ状態になるようになっている。
この所定角度はわずかな角度であり、オペレータが手で自動原稿送り装置１００を開くと、リフトアップ検知センサ８５および原稿検知タイミングセンサ８６の両方がＯＦＦ状態になるようになっている。なお、８７および８８は端面スケールである。
【００１１】
図３はコンタクトガラスを示した図であり、図４は、原稿サイズ検知センサを示した図である。この図３に示すように、コンタクトガラス１０の下方には原稿サイズ検知センサ９１〜９３が設けられている。各原稿サイズ検知センサ９１〜９３は、図４に示すように、１個の発光ダイオード９１ａから発せられた光を３ビームに分散させて照射して、その反射光を光学系内部の３個の受光素子９１ｂで受光する反射型のセンサであり、光学系内部からコンタクトガラス１０を透視して原稿面からの反射光のみを受光して原稿の有無を検知する。
原稿サイズ検知センサ９１〜９３は常に作動しており、各受光素子では、コンタクトガラス１０上の原稿を検出したときにはＯＮ状態となり、原稿を検出していないときにはＯＦＦ状態となっている。
原稿サイズ検知センサ９１〜９３は、コンタクトガラス１０上の所定位置に載値された複数種類の原稿のサイズに応じて配置されている。これより、コンタクトガラス１０上に原稿が有るか否かが判定されるとともに、コンタクトガラス１０上の原稿のサイズが検知される。
【００１２】
複写機本体１は原稿を読み取るスキャナ部、画像処理部およびプロッタ部などを備えている。スキャナ部には原稿を載置するためのコンタクトガラス１０と光学走査系が設けられており、光学走査系には露光ランプ１１、第１ミラー１２、第２ミラー１３、第３ミラー１４、レンズ１５、ＣＣＤ１６等が設けられている。
露光ランプ１１および第１ミラー１２は、第１キャリッジに装備され、この第１キャリッジは原稿読み取り時にステッピングモータにより一定の速度で副走査方向に移動する。第２ミラー１３および第３ミラー１４は、第２キャリッジに装備され、この第２キャリッジは原稿読み取り時にステッピングモータにより第１キャリッジの１／２の速度で移動する。
この第１キャリッジ、第２のキャリッジの移動によりコンタクトガラス１０上の原稿が光学的に走査され、レンズ１５によりＣＣＤ（光電変換素子）１６の受光面に結像されて光電変換される。
【００１３】
ＣＣＤ１６により得られた画像信号は、画像処理回路によりＡ／Ｄ（アナログ／デジタル）変換等された後、画像処理部６０４（図６参照）により各種の画像処理が施され、次いでコピー時には書き込みユニットにより記録紙にコピーされる。
書き込みユニットはレーザ出力ユニット２０、２５、ｆθレンズ２１、ミラー２２、２３、２４、２６、２７を備え、レーザ出力ユニット２０、２５は、レーザ光であるレーザダイオード（ＬＤ）と、図示省略のポリゴンミラーおよびポリゴンモータを備えている。
レーザ出力ユニット２０、２５からはコピー時にはスキャナにより読み取られた画像に応じて変調された黒信号のレーザ光が出射され、感光体３０上にその潜像が形成される。感光体３０の周囲には、黒現像器３２、赤現像器３３、転写搬送装置５４および図示省略の分離器などが配置され、感光体３０上のトナー像が用紙に記録される。
【００１４】
用紙は複写機本体１内の両面ユニット４０および第１トレイ５０と、給紙ユニット３００内の第２トレイ３１０、第３トレイ３２０および第４トレイ３３０の１つから選択的に、両面ユニット４０の可逆転コロ４２および接離コロ４３のローラ対、第１給紙装置５１、第２給紙装置３１１、第３給紙装置３２１および第４給紙装置３３１によりそれぞれ給紙される。
各トレイより給紙された用紙は、その先端がレジストセンサ５２により検出された後の所定時間後にレジストローラ５３に突き当って一旦停止し、副走査有効期間信号（ＦＧＡＴＥ）に同期してレジストローラ５３により搬送され、転写搬送装置５４により感光体３０上のトナー像が転写される。
次いで、この用紙は感光体３０から分離された後、定着装置５５によりトナー像が定着される。この定着後の用紙は、片面印刷時と両面印刷後には切り替え爪５７、給紙ローラ５６により胴内排紙トレイ２００に排出される。
他方、両面印刷時の裏面印刷後における用紙は、切り替え爪５７により両面搬送路４１に導かれ、可逆転コロ４２および接離コロ４３により反転されて両面ユニット４０内に搬送される。両面ユニット４０内の用紙は、縦搬送部に送られて表面に画像が形成される。
【００１５】
図５はこのデジタル複写機の制御系を示したブロック図である。この図において、操作部コントローラ５００は操作部の液晶、各種ＬＥＤの表示制御、各種キー入力の制御を行い、システムコントローラ５０１は給紙、搬送、定着、両面印刷、プロセス制御等を行う。
画像処理コントローラ５０２は画像制御、スキャナの読み取り制御を行い、ＡＤＦコントローラ５０３は自動原稿送り装置１００の制御を行う。また、給紙トレイコントローラ５０４は給紙トレイの制御を行い、ＦＡＸコントローラ５０５はＦＡＸ送受信の管理、ファイル管理を行い、プリンタコントローラ５０６はプリンタデータ受信の管理、ファイル管理を行う。
【００１６】
図６はこのデジタル複写機の画像処理回路を示したブロック図である。
コンタクトガラス１０上の原稿６００が露光ランプ１１により照明され、反射光がＣＣＤ１６により読み取られる。次いで、ＣＣＤ１６によりＲ（レッド）、Ｇ（グリーン）、Ｂ（ブルー）に分離されたアナログの画像信号が信号処理回路６０１により増幅されて光量補正され、ＡＤ変換器６０２によりデジタルの画像信号に変換され、シェーディング補正回路６０３によりシェーディング補正され、画像処理部６０４に送られる。
画像処理部６０４ではＭＴＦ補正、γ補正、黒画像生成、２値処理、多値処理などの画質処理が施され、黒データがセレクタ６０５に出力される。セレクタ６０５では、画像信号の送り先を、変倍部６０６または画像メモリコントローラ６０８への切り替えが行われる。変倍部６０６を経由した画像信号は変倍率に合せて拡大縮小され、書き込みユニット６０７に送られる。
【００１７】
画像メモリコントローラ６０８とセレクタ６０５の間は、双方向に画像信号の入出力が可能な構成となっている。また、画像メモリコントローラ６０８等への設定や、読み取り部、書き込み部への制御を行うＣＰＵ６０９、およびそのプログラムやデータを格納するＲＯＭ（リード・オンリ・メモリ）６１０、ＲＡＭ（ランダム・アクセス・メモリ）６１１が設けられている。更にＣＰＵ６０９は、画像メモリコントローラ６０８を介して、画像メモリ６１２のデータの書き込み、読み出しが行える。
画像メモリコントローラ６０８へ送られた画像は、画像メモリコントローラ６０８内にある画像圧縮装置によって画像データを圧縮した後、画像メモリ６１２に送られる。画像圧縮を行うことで、限られた画像メモリを有効に利用できる。また、一度に多くの原稿画像データを記憶することができるため、貯えられた原稿画像イメージデータをページ順に出力することができる。この場合画像を出力する際には、画像メモリ６１２のデータをメモリコントローラ６０８内の伸長装置で順次伸長しながら出力を行う。
【００１８】
このように貯えられた原稿画像イメージデータをページ順に出力し、部数毎に原稿画像を回転させ、記録紙に出力する。
他方、ＦＡＸ送信時にはセレクタ６０５により黒データがＦＡＸ用イメージメモリ６１３に転送される。また、ＦＡＸ受信時には、回線から受信データが復調、伸長された後にＦＡＸ用イメージメモリ６１３において展開された後、セレクタ６０５により書き込みユニット６０７に送られる。
さらに、プリンタデータ受信時には、プリンタ用イメージメモリ６１４において展開された後、セレクタ６０５により書き込みユニット６０７に送られる。
【００１９】
図７は、本実施の形態に係る画像読取装置の要部を示したブロック図であり、図８は、タイミング信号発生回路の構成を示したブロック図である。
この図７、図８に基づき本実施例における画像読取装置の要部の構成およびその動作の概要を以下に説明する。
読み取り対象である原稿７０１の光学像を光電変換素子である１次元のラインセンサ（ＣＣＤ）７０２により光電変換することにより原稿画像を読み取る。読み取り画像信号は、後段のアナログ信号処理回路７０３において、増幅、ノイズ成分の除去、画像信号の白レベルを一定化する可変増幅等のアナログ処理が施される。
アナログ処理後、画像信号をＡ／Ｄ変換回路７０４にてデジタル画像データに変換する。Ａ／Ｄ変換の過程で、量子化のリファレンス電圧Ｖｒｅｆとして地肌信号レベルを設定することにより地肌除去（地肌飛ばし）を行う方式を採る。Ａ／Ｄ変換回路７０４のリファレンス電圧Ｖｒｅｆとして設定するために検出される地肌信号は、アナログ信号処理回路７０３からの画像信号出力で検出、出力される。
【００２０】
この後の流れとしては、Ａ／Ｄ変換後の画像データに対し画像処理ブロック７０５にてデジタル画像処理が施される。シェーディング補正および２値化処理を行う場合を例にとると、γ補正、オフセット処理、ＭＴＦ補正、平滑化処理、誤差拡散（またはディザ）、孤立点除去、ＯＲ処理等を施して２値データへの変換を行い利用装置へ画像データを出力する。
なお、制御部７０７は光電変換基板の駆動周波数切替信号、光源の点灯制御、ＦＡＮモータのＯＮ／ＯＦＦ、地肌除去回路７０６や画像読取装置全体を制御する。
また、タイミング信号発生回路７０８は周波数分周器、周波数切替回路、１次元ラインセンサ（ＣＣＤ）７０２、アナログ信号処理回路７０３、地肌除去回路７０６、制御部７０７、ステッピングモータドライバー７１０等への各種のタイミング信号を発生する。また、ゲート回路７５８において駆動周波数切替信号と光源の点灯制御信号の排他制御を行う。
【００２１】
次に、各実施例について具体的に説明する。第１の実施例では、画像読取装置は、光電変換素子７０２を含む光電変換基板７１７と、制御基板７１８とが接続ケーブル７１４・７１５・７１６を介して接続されている。そして、制御基板７１８から当該接続ケーブルを介して駆動信号を供給されて動作する前記光電変換素子により原稿７０１の画情報を読み取る。読み取り待機時に動作クロックを停止させると、ラインクランプ回路（図示せず）がコンデンサの充／放電を利用した回路であるため、コンデンサの電圧が０Ｖのように完全な放電状態のときには、正常なクランプ電位に達するまでには時間がかかることになる。そのため、光電変換基板７１７への駆動周波数切替手段７５２により駆動信号周波数１をクランプ電圧に影響がでない程度、例えば１／１６にする。
このことにより消費電力を抑え、クランプ電位に影響を与えないため、駆動信号周波数を原稿画情報の読み取り動作中の駆動信号周波数２に切り替えるだけで即座に原稿の画情報読み取り動作に移行可能となる。こうして、省電力化と不要な電波の輻射を防止することができる。
第２の実施例では、第１の実施例の画像読取装置において、複数枚読み取り時のページ間においても駆動信号周波数１に切り替えを実施する。このことにより、更なる消費電力化と不要な電波の輻射防止が実現できる。
【００２２】
第３の実施例では、第１、第２の実施例において、駆動信号周波数１に切り替わっている期間は、原稿画情報の読み取り動作中に使用できない周波数拡散の係数に変更する。周波数拡散係数を画像読み取り時には画像劣化となり使用できない係数を使用することで、不要な電波の輻射防止することができる。
第４の実施例では、第１、第２の実施例における画像読取装置において、アナログＡＳＩＣ信号処理回路には通常入力特性の制限があり、駆動信号周波数１に切り替わっている期間は光電変換素子からの信号が制限を超えることが容易に考えられる。そこで、光源の消灯時のみ駆動信号周波数１に切り替える排他制御を行う。入力特性の制限のあるアナログＡＳＩＣ信号処理回路においても保護回路を追加することなく省電力化と不要な電波の輻射防止が実現できる。
第５の実施例では、第１、第２の実施例における画像読取装置において、高速タイプの光電変換素子を高速駆動で行う場合、冷却のためのＦＡＮモータ７１３を実装している場合がある。そこで、通常駆動信号周波数１は読み取り待機状態であるため、光電変換素子基板の消費電力を低減することができるので冷却用のＦＡＮモータ７１３を停止する。このことにより、更なる省電力化の実現できる。
【００２３】
【発明の効果】
請求項１記載の発明では、原稿画情報の読み取り動作か否かで第１の駆動信号周波数と、第２の駆動信号周波数を切り替えることにより、クランプ電圧の影響を与えないので、この装置の立ち上がり時間が必要なく、且つ待機状態中の電力消費を抑えることができる。さらに、不要な電波の輻射防止が実現できる。
請求項２記載の発明では、複数ページの原稿を読み取る際、ページ間においても前記制御手段から読み取り待機時の第１の駆動周波数に切り替えて送出することとしたので、読み取り動作中においても更なる省電力化と不要な電波の輻射防止が実現できる。
請求項３記載の発明では、制御手段が第１の駆動信号周波数を送出している時に、原稿読取手段が原稿画情報の読み取り動作中に使用できない周波数拡散の係数に変更することとしたので、更なる不要な電波の輻射防止が実現できる。
【００２４】
請求項４記載の発明では、この光源の消灯時にのみ、前記制御手段が第１の駆動信号周波数に切り替えて送出することとし、入力特性に制限を有するアナログ信号処理回路においても省電力化と不要な電波の輻射防止が実現できる。
請求項５記載の発明では、制御手段が第１の駆動信号周波数に切り替えて送出する際、この冷却用ファンを駆動しないことしたため、更なる省電力化が実現できる。
【図面の簡単な説明】
【図１】本発明の実施形態に係るデジタル複写機の構成を示した図である。
【図２】自動原稿送り装置の外観を示した図である。
【図３】コンタクトガラスを示した図である。
【図４】原稿サイズ検知センサを示した図である。
【図５】デジタル複写機の制御系を示したブロック図である。
【図６】デジタル複写機の画像処理回路を示したブロック図である。
【図７】本実施の形態に係る画像読取装置の構成を示したブロック図である。
【図８】本実施の形態に係る画像読取装置のタイミング信号発生回路の構成を示したブロック図である。
【図９】従来の画像読取装置の構成を示したブロック図である。
【符号の説明】
１　　　複写機本体
１０　　コンタクトガラス
１１　　露光ランプ
５００　操作部コントローラ
５０１　システムコントローラ
５０２　画像処理コントローラ
５０３　ＡＤＦコントローラ
５０４　給紙トレイコントローラ
５０５　ＦＡＸコントローラ
５０６　プリンタコントローラ
６００　原稿
６０１　信号処理回路
６０２　ＡＤ変換器
６０３　シェーディング補正回路
６０４　画像処理部
６０５　セレクタ
６０６　変倍部
６０７　書き込みユニット
６０８　画像メモリコントローラ
６０９　ＣＰＵ
６１０　ＲＯＭ
６１１　ＲＡＭ
６１２　画像メモリ
６１３　ＦＡＸ用イメージメモリ
６１４　プリンタ用イメージメモリ
７０１　原稿
７０２　光電変換素子／１次ラインセンサ
７０３　アナログ信号処理回路
７０４　Ａ／Ｄ変換回路
７０５　画像処理ブロック
７０６　地肌除去回路
７０７　制御部
７１０　ステッピングモータドライバー
７１３　ＦＡＮモータ
７１４・７１５・７１６　接続ケーブル
７１７　光電変換基板
７１８　制御基板
７５２　駆動信号周波数切替手段
７５８　ゲート回路
７０８　タイミング信号発生回路
７６０　ＦＡＮモータ
【図１】
2004072602.tif 000003
【図２】
2004072602.tif 000004
【図３】
2004072602.tif 000005
【図４】
2004072602.tif 000006
【図５】
2004072602.tif 000007
【図６】
2004072602.tif 000008
【図７】
2004072602.tif 000009
【図８】
2004072602.tif 000010
【図９】
2004072602.tif 000011